(57)【特許請求の範囲】
【請求項１】
洗浄槽内の食器かごに上方から洗浄水を噴射する回転ノズルを備えた食器洗い機において、前記洗浄槽の出し入れ口がある側を前側としたとき、前記洗浄槽の上壁が前から見て前記回転ノズルを隠す突出壁を有し、この突出壁が前後方向で前記出し入れ口の上端縁と前記回転ノズルの回転先端との間に位置し、前記出し入れ口の上端縁を、前記突出壁の下端縁よりも上方に設けたことを特徴とする食器洗い機。
【請求項２】
上記突出壁を上記食器かごの上方に位置させ、上記回転ノズルに、洗浄水を前記突出壁に噴きかける噴射口を設けた請求項１に記載の食器洗い機。
【発明の詳細な説明】
【技術分野】
【０００１】
この発明は、洗浄槽内の食器かごに上方から洗浄水を噴射する回転ノズルを備えた食器洗い機に関する。
【背景技術】
【０００２】
一般に、この種の食器洗い機では、上記洗浄槽の出し入れ口から上記食器かごを設置することができるようになっている。上記回転ノズルは、洗浄水が圧送される内部空間に連通する噴射口を複数設けたヘッドを回転支持機構に支持させたものである。
【０００３】
ユーザが大量の食器類を一度に洗浄する場合、食器かごは、洗浄槽から取り出され、食器類が載せられた後、洗浄槽に戻されるのが一般的である。食器かごを洗浄槽に戻す際、食器かごや食器類が回転ノズルに当たると、その衝撃がヘッドや回転支持機構に悪影響を与え得る。
【０００４】
そこで、従来の食器洗い機の中には、出し入れ口の上端縁を回転ノズル下端よりも下方に位置させることにより、食器かご等が出し入れ口を通る際の高さを規制し、回転ノズルと食器かご等の接触を防止したものもあった（例えば、特許文献１）。
【０００５】
【特許文献１】特開平９−３２７４３１号公報
【発明の開示】
【発明が解決しようとする課題】
【０００６】
しかしながら、前掲の特許文献１のような規制構造では、出し入れ口の下端縁の位置を下げてその上下端縁間を広げることも機体サイズとの関係から限界があるため、食器かご等の出し入れを行い難くなる問題があった。
【０００７】
そこで、この発明の課題は、洗浄槽に食器かごが戻される際に、食器かごや食器類が回転ノズルに当たるのを防止しつつ、食器かご等の出し入れ性を改善することにある。
【課題を解決するための手段】
【０００８】
上記の課題を解決するため、この発明は、洗浄槽内の食器かごに上方から洗浄水を噴射する回転ノズルを備えた食器洗い機において、前記洗浄槽の出し入れ口がある側を前側としたとき、前記洗浄槽の上壁が前から見て前記回転ノズルを隠す突出壁を有し、この突出壁が前後方向で前記出し入れ口の上端縁と前記回転ノズルの回転先端との間に位置し、前記出し入れ口の上端縁を、前記突出壁の下端縁よりも上方に設けたものである。
【０００９】
具体的には、前記洗浄槽の出し入れ口がある側を前方側としたとき、前記洗浄槽の上壁が前から見て前記回転ノズルを隠す突出壁を有する構成により、洗浄槽に食器かごが戻される際に食器かご等が回転ノズルに当たることを防止できるようにした。
【００１０】
そして、この突出壁が前後方向で前記出し入れ口の上端縁と前記回転ノズルの回転先端との間に位置し、出し入れ口の上端縁を前記突出壁の下端縁よりも上方に設けた構成により、従来例のように出し入れ口の上端縁で規制する構成と比して、出し入れ口の下端縁と突出壁の下端縁間の直線距離が広がるようにした。このため、食器かご等の出し入れ性を改善することができる。
【００１１】
上記構成においては、上記突出壁を上記食器かごの上方に位置させ、上記回転ノズルに、洗浄水を前記突出壁に噴きかける噴射口を設けた構成を採用することができる。この構成によれば、突出壁から洗浄水の滴が降るため、突出壁を利用してその下方の食器類に掛かる洗浄水の量を増やすことができる。
【発明の効果】
【００１２】
以上に述べたように、この発明は、前記洗浄槽の出し入れ口がある側を前側としたとき、前記洗浄槽の上壁が前から見て前記回転ノズルを隠す突出壁を有し、この突出壁が前後方向で前記出し入れ口の上端縁と前記回転ノズルの回転先端との間に位置する構成により、洗浄槽に食器かごが戻される際に、食器かごや食器類が回転ノズルに当たるのを防止しつつ、食器かご等の出し入れ性を改善することができる。
【発明を実施するための最良の形態】
【００１３】
以下、この発明の一実施形態を添付図面に基づいて説明する。
図１、図２に示すように、この実施形態に係る食器洗い機は、洗浄槽１０に食器かご２１、２２が上下２段に設置されるようになっており、スイッチ操作で設定された運転内容に従って、洗浄槽１０内に洗浄水を噴射し、洗浄槽１０の底に落下した洗浄水を吸引して再度噴射する循環洗浄工程を行い、その後に洗浄水を排水するようになっている。
【００１４】
洗浄槽１０は、全体として略直方体状に設けられており、その出し入れ口が上下扉１１、１２で開閉され、その底が洗浄水循環経路の吸込み口を有する洗浄水溜まりになっている。
【００１５】
洗浄槽１０の出し入れ口がある側を前側としたとき、洗浄槽１０の左右壁１３、１４には、食器かご２１、２２を中空に支持する前後方向のレール台２３、２４が取り付けられている。食器かご２１、２２は、出し入れ口から前後方向に食器類を載置された状態でレール台２３、２４上に差し入れるようにして設置される。
【００１６】
図３、図４に示すように、洗浄槽１０の上壁１５と下壁１６には、洗浄水循環経路に接続され、洗浄槽１０内の食器かご２１、２２に洗浄水を噴射する回転ノズル３１、３２が備わっている。
【００１７】
下側の回転ノズル３２は、洗浄槽１０の出し入れ口の下端縁１７よりも下方に位置し、食器かご２２の下方から洗浄水を噴射するようになっている。
【００１８】
洗浄槽１０の後壁には、洗浄水循環経路の一部を構成し、上側の回転ノズル３１に洗浄水を導く圧送管路２５が設けられている。この圧送管路２５は、図１、図４に示すように、洗浄槽１０と外ケースの間に設けられた循環ポンプＰの出口側に洗浄槽１０内で接続されている。
【００１９】
上側の回転ノズル３１は、図３、図４に示すように、洗浄水が圧送される内部空間に連通する噴射口３３、３４を複数有し、上壁１５に設けた軸受により回転支持されている。上側の回転ノズル３１の回転は、洗浄水噴射の反作用によって行われる。
【００２０】
上側の回転ノズル３１の下面に配した噴射口３３は、食器かご２１の上方から、食器かご２１の概ね全域に洗浄水を噴射するように設けられている。
【００２１】
上壁１５は、前後方向で出し入れ口の上端縁１８上側の回転ノズル３１の回転先端との間に位置するところに突出壁４０を有する。なお、突出壁４０は、上壁１５と一体に形成されている。
【００２２】
この突出壁４０は、図１、図５に示すように、その下端縁が上側の回転ノズル３１よりも下方に位置し、その左右幅ｗが上側の回転ノズル３１の回転先端（２点鎖線で示す）よりも広く設けられている。このため、突出壁４０は、前から見たとき上側の回転ノズル３１を隠す。したがって、洗浄槽１０に食器かご２１が戻される際、食器かご２１等が上側の回転ノズル３１に当たることは、突出壁４０で防止される。なお、食器かご２１がレール台２３上を前後に移動するため、食器かご２１等が出し入れ口を通った後に上側の回転ノズル３１に当たることはない。
【００２３】
また、突出壁４０は、図１に示すように、前後方向で出し入れ口の上端縁１８と上側の回転ノズル３１の回転先端との間に位置している。出し入れ口の上端縁１８は、突出壁４０の下端縁よりも上方に設けられている。このため、出し入れ口の下端縁１７と突出壁４０の下端縁間の直線距離ｌ１は、同間の鉛直距離ｌ２よりも広がっている。すなわち、従来例のように出し入れ口の上端縁１８で上側の回転ノズル３１を隠す構成に比して、出し入れ口が広がっており、食器かご等の出し入れ性が改善されている。
【００２４】
この実施形態では、突出壁４０が食器かご２１の上方に位置するようになっている。上側の回転ノズル３１の一端に設けられた噴射口３４は、洗浄水を概ね水平に噴き出し、回転時には洗浄水を突出壁４０の後面に噴きかけるようになっている。突出壁４０に掛かった洗浄水は、その下端縁から滴となって降り、その下方の食器類に掛かる。このため、突出壁４０を利用してその下方の食器類に掛かる洗浄水の量を増やすことができる。
【００２５】
さらに、図１、図３、図５に示すように、上壁１５のうち、食器かご２１の上方に位置する部分には、突出壁４０から後方に同一高さで連続し、かつ噴射口３４からの洗浄水が当たるように水掛け部５０が設けられている。このため、噴射口３４からの洗浄水を水掛け部５０により広い範囲に降らせることができる。この実施形態では、水掛け部５０が、上側の回転ノズル３１の左右両側に下がりの勾配をもったテーパ面として上壁１５と一体に形成されているが、凸壁として設けることもできる。
【図面の簡単な説明】
【００２６】
【図１】実施形態に係る食器洗い機の断面図
【図２】図１の食器洗い機の全体斜視図
【図３】図１の洗浄槽の上壁を斜め下方から示した拡大斜視図
【図４】図１の洗浄槽の下壁を斜め上方から示した拡大斜視図
【図５】（ａ）図１の洗浄槽の上壁の下面図、（ｂ）上扉がない状態で突出壁の拡大前面視を示すと共に、突出壁の一部を切り欠いて回転ノズルを見せた部分拡大前面図
【符号の説明】
【００２７】
１０  洗浄槽
１１  上扉
１２  下扉
１３  左壁
１４  右壁
１５  上壁
１６  下壁
１７  出し入れ口の下端縁
１８  出し入れ口の上端縁
１９  係止爪
２１、２２  食器かご
２３、２４  レール台
２５  圧送管路
３１、３２  回転ノズル
３３、３４  噴射口
４０  突出壁
５０  水掛け部
【図１】
0004489690.tif 000002
【図２】
0004489690.tif 000003
【図３】
0004489690.tif 000004
【図４】
0004489690.tif 000005
【図５】
0004489690.tif 000006